【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
制御部および共通のデータ信号線に接続された親局と、前記共通のデータ信号線および対応する被制御装置に接続された複数の子局を備え、
前記被制御装置は、前記制御部の出力指示に応じて動作する被制御部および／または前記制御部へ入力情報を伝えるセンサ部を有し、
前記親局は、所定の周期のクロックに同期した所定のタイミング信号を発生するためのタイミング発生手段を有し、前記タイミング信号の制御下で、前記制御部からの制御データの値に応じて、制御データ信号として一連のパルス状信号を前記データ信号線に出力すると共に、前記タイミング信号の制御下で、前記クロックの１周期毎に、前記一連のパルス状信号に重畳された監視データ信号のデータ値を抽出し、これを前記制御部に引き渡し、
前記複数の子局の各々は、前記タイミング信号の制御下で、前記クロックの１周期毎に、前記制御データ信号の各データの値を抽出して、前記各データの値の中の自局に対応するデータを対応する前記被制御部に引き渡し、および／または、前記タイミング信号の制御下で、前記クロック信号の１周期毎に、対応する前記センサ部の監視データの値に応じて、前記監視データ信号を前記一連のパルス状信号に重畳する制御・監視信号伝送システムにおいて、
前記一連のパルス状信号に、前記制御データと前記監視データとで構成される制御・監視データ領域と異なる、複数のパルス状信号で構成される管理データ領域を設け、
前記管理データ領域において、確認対象を指定する管理制御データを構成する信号が重畳される出力期間とそれに対応する同一周期パルスの入力期間に、配線状態を示す接続データを含む管理監視データを構成する信号が重畳されることを特徴とするリモート配線チェックシステム。
【請求項２】
前記接続データにおいて、短絡情報、断線情報および正常情報が識別される請求項１に記載のリモート配線チェックシステム。
【請求項３】
前記管理監視データに、前記子局から伝えられる前記被制御部および前記センサ部の識別子データが含まれる請求項１または２に記載のリモート配線チェックシステム。
【請求項４】
前記管理制御データが、前記被制御部および前記センサ部の各々を指定する請求項１または２に記載のリモート配線チェックシステム。
【請求項５】
前記管理制御データが、前記指定される被制御部およびセンサ部の複数が接続された前記子局の代表アドレスデータを指定し、前記接続データが前記代表アドレスデータに対して前記短絡情報、断線情報、または正常情報のいずれも送出されない場合、前記親局と前記子局間の接続に断線が発生しているものと判断する請求項２に記載のリモート配線チェックシステム。
【請求項６】
前記子局は、自局において短絡または断線が発生したとき、前記接続データが正常情報であることを確認後、前記管理監視データに、短絡または断線が生じている前記被制御部および前記センサ部の識別子データを含め、前記正常情報を前記短絡情報または前記断線情報に更新する請求項２に記載のリモート配線チェックシステム。
【請求項７】
前記センサ部において、前記センサ部の非動作電流が極小の場合、検出するセンサ信号の出力間にブリーダ電流を流し、前記ブリーダ電流およびセンサ部の動作電流の双方を含む全電流が第一の閾値に対して小さいときに前記断線と判断し、前記全電流が第二の閾値より大きいときに前記短絡と判断する請求項２乃至６のいずれか一つの項に記載のリモート配線チェックシステム。
【請求項８】
前記被制御部において、前記被制御部に対する出力指示がある場合、出力電流が第一の閾値に対して小さいときに前記断線と判断し、前記出力電流が動作電流よりも大きい第二の閾値より大きいときに前記短絡と判断する請求項２乃至６のいずれか一つの項に記載のリモート配線チェックシステム。
【請求項９】
制御部および共通のデータ信号線に接続された親局と、前記共通のデータ信号線および対応する被制御装置に接続された複数の子局を備え、
前記被制御装置は、前記制御部の出力指示に応じて動作する被制御部および／または前記制御部へ入力情報を伝えるセンサ部を有し、
前記親局は、所定の周期のクロックに同期した所定のタイミング信号を発生するためのタイミング発生手段を有し、前記タイミング信号の制御下で、前記制御部からの制御データの値に応じて、制御データ信号として一連のパルス状信号を前記データ信号線に出力すると共に、前記タイミング信号の制御下で、前記クロックの１周期毎に、前記一連のパルス状信号に重畳された監視データ信号のデータ値を抽出し、これを前前記制御部に引き渡し、
前記複数の子局の各々は、前記タイミング信号の制御下で、前記クロックの１周期毎に、前記制御データ信号の各データの値を抽出して、前記各データの値の中の自局に対応するデータを対応する前記被制御部に引き渡し、および／または、前記タイミング信号の制御下で、前記クロック信号の１周期毎に、対応する前記センサ部の監視データの値に応じて、前記監視データ信号を前記一連のパルス状信号に重畳し、
前記一連のパルス状信号に、制御データと監視データとで構成される制御・監視データ領域と異なる、配線状態を示す接続データを含む管理データ領域を設けたリモート配線チェックシステムにおいて、
前記センサ部と前記子局の間に介装され、前記センサ部の検出部と並列に接続されるブリーダ抵抗を含むことを特徴とする接続コネクタ。
【手続補正２】
【補正対象書類名】明細書
【補正対象項目名】０００９
【補正方法】変更
【補正の内容】
【０００９】
本発明に係るリモート配線チェックシステムは、制御部および共通のデータ信号線に接続された親局と、前記共通のデータ信号線および対応する被制御装置に接続された複数の子局を備える。前記被制御装置は、前記制御部の出力指示に応じて動作する被制御部および／または前記制御部へ入力情報を伝えるセンサ部を有する。前記親局は、所定の周期のクロックに同期した所定のタイミング信号を発生するためのタイミング発生手段を有する。また、前記親局は、前記タイミング信号の制御下で、前記制御部からの制御データの値に応じて、制御データ信号として一連のパルス状信号を、前記データ信号線に出力すると共に、前記タイミング信号の制御下で、前記クロックの１周期毎に、前記一連のパルス状信号に重畳された監視データ信号のデータ値を抽出し、これを前記制御部に引き渡す。前記複数の子局の各々は、前記タイミング信号の制御下で、前記クロックの１周期毎に、前記制御データ信号の各データの値を抽出して、前記各データの値の中の自局に対応するデータを対応する前記被制御部に引き渡し、および／または、前記タイミング信号の制御下で、前記クロック信号の１周期毎に、対応する前記センサ部の監視データの値に応じて、前記監視データ信号を前記一連のパルス状信号に重畳する。そして、前記一連のパルス状信号に、前記制御データと前記監視データとで構成される制御・監視データ領域と異なる、複数のパルス状信号で構成される管理データ領域を設ける。更に、前記管理データ領域において、確認対象を指定する管理制御データを構成する信号が重畳される出力期間とそれに対応する同一周期パルスの入力期間に、配線状態を示す接続データを含む管理監視データを構成する信号が重畳される。
【手続補正３】
【補正対象書類名】明細書
【補正対象項目名】００１１
【補正方法】変更
【補正の内容】
【００１１】
前記管理監視データに、前記子局から伝えられる前記被制御部および前記センサ部の識別子データが含まれてもよい。識別子データは、例えば、複数の被制御部やセンサ部が接続されている子局の代表アドレスデータに対する相対的アドレスデータであってもよい。
【手続補正４】
【補正対象書類名】明細書
【補正対象項目名】００１２
【補正方法】変更
【補正の内容】
【００１２】
前記管理制御データが、前記被制御部および前記センサ部の各々を指定するものであってもよい。管理制御データは、前記被制御部および前記センサ部の絶対アドレスデータであってもよく、この場合、一連のパルス状信号の１フレーム毎に順次、増減して前記被制御部および前記センサ部の各々を指定するものであってもよい。また、管理制御データは、前記指定される被制御部およびセンサ部の複数が接続された前記子局の代表アドレスデータであってもよく、この場合は、被制御部およびセンサ部を間接的に指定することになる。管理制御データとして子局の代表アドレスデータが重畳される場合は、前記接続データが前記代表アドレスデータに対して前記短絡情報、断線情報、または正常情報のいずれも送信されなかったとき、前記親局と前記子局間の接続に断線が発生しているものと判断してもよい。
【手続補正５】
【補正対象書類名】明細書
【補正対象項目名】００１３
【補正方法】変更
【補正の内容】
【００１３】
また、前記子局は、自局において短絡または断線が発生したとき、前記接続データが正常情報であることを確認後、前記管理監視データに、短絡または断線が生じている前記被制御部および前記センサ部の識別子データを含め、前記正常情報を前記短絡情報または前記断線情報に更新してもよい。この場合に子局から伝えられる識別子データは、それ単独で被制御部およびセンサ部の各々を示す絶対的アドレスデータであってもよい。
【手続補正６】
【補正対象書類名】明細書
【補正対象項目名】００１７
【補正方法】変更
【補正の内容】
【００１７】
本発明に係るリモート配線チェックシステムは、制御部からの制御データとセンサ部からの監視データの伝送において、所定の周期のクロックに同期した所定のタイミング信号の制御下で、制御部からの制御データの値に応じて、制御データ信号としての一連のパルス状信号に、制御データおよび監視データから構成される制御・監視データ領域とは異なる管理データ領域を設け、この管理データ領域を配線接続状態の確認に利用するものとなっている。そのため、同期アドレス伝送方式において、制御データ、監視データおよび管理データを、スタート信号から開始される一連のデータ群（１フレーム伝送サイクル）として同時に伝送することができ、制御データ、監視データのデータ容量、伝送速度に何ら影響を与えない。一方、配線の接続データは、親局を介して制御部に集約されることから、配線している遠くの現場まで直接チェックに行く必要もない。つまり、親局と子局との間で双方向同時に伝送される監視データの容量を減らすことなく、子局と被制御装置との間の配線接続状態を容易に親局側で確認することができる。
【手続補正７】
【補正対象書類名】明細書
【補正対象項目名】００２８
【補正方法】変更
【補正の内容】
【００２８】
親局出力部６４からデータ信号線ＤＰ、ＤＮに送出される制御データ信号（本発明における、一連のパルス状信号に相当し、以下、データ信号線ＤＰ、ＤＮを流れる制御データ信号を伝送クロック信号という）のデータ値は、タイミングクロックの１周期における電圧レベルの高い期間のパルス幅により表現される。伝送クロック信号は、図５に示すように、１周期の後半が高電位レベル（この実施例では＋２４Ｖ）と、前半が低電位レベル（この実施例では＋１９Ｖ）とされる。そして、高電位レベルの幅は、制御部１から入力される制御データ１３の各データの値に応じて拡張される。この実施例では、伝送クロック信号の１周期をｔ０とした時に（３／４）ｔ０まで拡張される。ただし、その幅に制限はなく、伝送条件等により適宜調整すればよい。なお、データ値の表現形式に制限はなく、例えば、電圧レベルの高低や、電流の有無など、その他の表現形式を適宜採用してもよい。また、伝送クロック信号の１周期毎にはアドレスが割り当てられており、この実施例においては、アドレス０番地（＃ａｄ０）、１番地（＃ａｄ１）、２番地（＃ａｄ２）及び３番地（＃ａｄ３）のそれぞれにおける制御データの値（出力データ）はそれぞれ“０”、“０”、“１”、“０”を表わすものとなっている。